(57)【要約】【課題】電装ケースの位置換えを容易にして、配線・配管のやり直し、および機器の交換を容易にすると共に、製造時には検査員が電装ケースに容易に正対可能にする。【解決手段】電装ケース４の背板１５の裏面側には下向きの突起２０を形成し、その突起２０を挿脱することのできるスリット１０を隔壁２の前面上部に設けたので、突起２０を隔壁２のスリット１０に挿し込んで電装ケース４を隔壁２の前面上端部に仮止めすることができる。そのため、室外機１００の正面側に位置する作業員が正対可能に電装ケース４を隔壁２の前面上部側に仮止めして、配線状態、配管状態などのチェックが可能であり、配線・配管のやり直し、機器の交換などする必要があるときには、電装ケース４を作業の邪魔にならない位置に置き直して所要の作業を行うことが容易にある。【選択図】  図１
2005188836.tif 000002
【特許請求の範囲】
【請求項１】
電装ケースに設けた接続端子に対する冷媒圧縮機・送風機などのケーブルの接続／取外しが、冷媒圧縮機、送風機、熱交換器などが内在する筐体に開設したサービス口を介して可能に設けられた空気調和機の室外機において、電装ケースを少なくとも接続端子が設けられた背板と、背板の前方を覆う天板とで構成し、背板の裏面側に仮止手段を設けたことを特徴とする空気調和機の室外機。
【請求項２】
電装ケースの仮止手段が、背板の切り起し加工により背板の裏面側に下向きに形成された突起からなることを特徴とする請求項１記載の空気調和機の室外機。
【請求項３】
電装ケースの仮止手段と係合可能な筐体側仮止手段が筐体の前面部分に設けられたことを特徴とする請求項２記載の空気調和機の室外機。
【請求項４】
電装ケースが天板前端部から垂設されたフック部により筐体上端部に係止され、その上から筐体に装着される筐体天板により電装ケースが筐体に装着されたことを特徴とする請求項１〜３何れかに記載の空気調和機の室外機。
【発明の詳細な説明】
【技術分野】
【０００１】
本発明は、室内壁面などに設置される室内機と共同して室内空気の温度調節などに供される空気調和機の室外機に関するものである。
【背景技術】
【０００２】
この種の室外機としては、例えば図６に示したように、筐体１の内部に冷媒を圧縮する圧縮機３、冷房運転時には冷媒が周囲の空気に放熱して凝縮し、暖房運転時には冷媒が周囲の空気から吸熱して蒸発する熱交換器５、外気を筐体内に取り込んで熱交換器の伝熱フィンに吹き付ける送風機６などを備えた室外機１００Ｘが周知である（例えば、特許文献１参照。）。
【０００３】
また、筐体１には、圧縮機３、送風機６などのケーブルが接続される接続端子１８を備えた電装ケース４Ｘが固定されている。また、電装ケース４Ｘに電源配線チェックスイッチと配管チェックスイッチとから構成された表示器２５を設けて、電源および配管が正常に接続されたか否かのチェックが電装ケース４Ｘ上でできるように構成されている。なお、１１はサービスバルブである。
【０００４】
しかし、図６に示した室外機１００Ｘにおいては、電装ケース４Ｘを筐体１に固定した後に配線および配管のチェックを行うので、ａ）配線・配管に異常がある、ｂ）配線・配管は正常であるが圧縮機３・熱交換器５・送風機６などに異常がある、などの理由から配線・配管のやり直し、機器の交換が必要になっても、筐体１に固定した電装ケース４Ｘが邪魔になり、対応が容易でないと云った問題点があった。
【０００５】
また、筐体１に圧縮機３・熱交換器５・送風機６などの部品を組み付けて室外機１００Ｘを製造する際には、部品の組み付けが容易に行えるように、また、製造時に筐体１を搬送するベルトコンベアの小型化が可能に、コンベヤの長手方向に筐体１の長手方向を一致させて筐体１をコンベヤに載せると、配線および配管状態を検査する作業員は電装ケース４Ｘに正対することができず、検査し難いと云った問題点もあった。
【特許文献１】特開平７−３０５８７０号
【発明の開示】
【発明が解決しようとする課題】
【０００６】
したがって、電装ケースの位置が容易に変更できる構成にして、配線・配管のやり直し、および機器の交換が容易にできるようにすると共に、製造時に配線状態・配管状態を検査する際には、検査員が電装ケースに容易に正対可能にする。
【課題を解決するための手段】
【０００７】
本発明は上記従来技術の課題を解決するため、電装ケースに設けた接続端子に対する冷媒圧縮機・送風機などのケーブルの接続／取外しが、冷媒圧縮機、送風機、熱交換器などが内在する筐体に開設したサービス口を介して可能に設けられた空気調和機の室外機において、電装ケースを少なくとも接続端子が設けられた背板と、背板の前方を覆う天板とで構成し、背板の裏面側に仮止手段を設けたことを主要な特徴とするものである。
【発明の効果】
【０００８】
本発明によれば、背板の裏面側に設けた仮止手段により電装ケースを筐体の前面部分などに仮止めすることが可能であるので、配線・配管のやり直し、および機器を交換するときなどに電装ケースが邪魔であれば、電装ケースを邪魔にならない場所に移して作業することは容易であるし、作業員が端子基板に正対するように電装ケースの向きを変えて配線状態・配管状態を検査することも容易である。
【発明を実施するための最良の形態】
【０００９】
電装ケースを少なくとも接続端子が設けられた背板と、背板の前方を覆う天板とで構成すると共に、背板の切り起し加工により背板の裏面側に下向きの突起を設けて仮止手段とし、その仮止手段と係合可能な筐体側仮止手段を筐体の前面部分に設け、電装ケースを天板前端部に垂設したフック部により筐体上端部に係止し、その上から筐体に装着する筐体天板により電装ケースを筐体に固定し装着した空気調和機の室外機。
【実施例１】
【００１０】
本発明の一実施例を、図１〜図５に基づいて説明する。なお、理解を容易にするため、これらの図においても前記図６において説明した部分と同様の機能を有する部分には、同一の符号を付した。
【００１１】
本発明の室外機１００においては、図４に示すように鋼製の筐体１の内部は隔壁２により２部屋に区画され、一方には冷媒を圧縮するための圧縮機３と電装ケース４が収納され、他方には熱交換器５と送風機６が収納されている。なお、熱交換器５は、上から見た形が略Ｌ字状に形成・配置されて、熱交換器５の伝熱管内を流れる冷媒と、送風機６により機外から取り込まれた空気との熱交換効率が高められている。
【００１２】
電装ケース４は１枚の鋼板を機械加工することにより作製されたもので、背板１５と、その上端部から前方に延設された天板１６とから構成され、天板１６は前端部から垂設されたフック部１７を備え、そのフック部１７により筐体１の側壁７の上端に係止され、その上から冠着された筐体天板８による固定により筐体１の上部側に固定装着されている。
【００１３】
電装ケース４の背板１５は、後傾して下端部分が側壁７に接近している下部側と、略鉛直に設けられた上部側とからなり、その前面側には圧縮機３や送風機６のケーブル１９などを接続するための接続端子１８や、各種の電気部品が配設されている。
【００１４】
そして、側壁７の背板１５に臨む部位にはサービス口９が開口し、そのサービス口９を介して、電装ケース４の背板１５に設けた接続端子１８への、圧縮機３や送風機６のケーブル１９などの接続／取外しが可能に構成されている。
【００１５】
また、電装ケース４の背板１５の裏面側には切り起し加工により下向きの突起２０が係止手段として形成され、その突起２０を挿脱することのできるスリット１０が隔壁２の前面上部に設けられている。
【００１６】
したがって、電装ケース４は、突起２０を隔壁２のスリット１０に挿し込んで隔壁２の前面上端部に仮止めすることが可能である。すなわち、室外機１００の正面側に位置する作業員が正対可能に電装ケース４を隔壁２の前面上部側に仮止めして、配線状態、配管状態などのチェックを行うことができる。
【００１７】
そして、異常がなければ、フック部１７により筐体１の側壁７の上端に係止し直して正規の装着に移行するが、異常があって配線・配管のやり直し、機器の交換などする必要があるときには、電装ケース４の配置換えが容易であるので、電装ケース４を作業の邪魔にならない位置に置き直して所要の作業を行うことも極めて容易である。
【００１８】
なお、サービス口９、図示しない冷媒管により熱交換器５と接続されているサービスバルブ１１などは、側壁７の外面に着脱可能な側面カバー１２により被覆されている。
【００１９】
本発明は上記実施形態に限定されるものではないので、特許請求の範囲に記載の趣旨から逸脱しない範囲で各種の変形実施が可能である。
【００２０】
例えば、電装ケース４は、側壁７の前端部に係止可能に構成することも可能である。
【図面の簡単な説明】
【００２１】
【図１】本発明室外機の要部の説明図である。
【図２】本発明室外機における検査要領の説明図である。
【図３】本発明室外機の側面カバーを外して示す側面部の説明図である。
【図４】本発明室外機の前面板と背面板と天面板とを外して示す内部の説明図である。
【図５】本発明室外機の外観の説明図である。
【図６】従来技術を示す説明図である。
【符号の説明】
【００２２】
１  筐体
２  隔壁
３  圧縮機
４  電装ケース
５  熱交換器
６  送風機
７  側壁
８  筐体天板
９  サービス口
１０  スリット
１１  サービスバルブ
１２  側面カバー
１５  背板
１６  天板
１７  フック部
１８  接続端子
１９  ケーブル
２０  突起
１００、１００Ｘ  室外機
【図１】
2005188836.tif 000003
【図２】
2005188836.tif 000004
【図３】
2005188836.tif 000005
【図４】
2005188836.tif 000006
【図５】
2005188836.tif 000007
【図６】
2005188836.tif 000008